(57)【要約】【課題】アンテナの実装位置の制限をなくすとともに、回路基板上の広いアンテナ専有部分をなくしてその部分に他の部品を実装可能として、無線通信端末の小型化、薄型化をもたらすことにある。【解決手段】電子部品を実装した回路基板６と、前記電子部品を覆うように前記回路基板に重ねて配置されるシールドケース７と、前記シールドケース上に支持されたキースイッチを有するキー基板８と、前記キースイッチと対向する位置に操作キーを配置されたキーシート９と、を筐体内に具える無線通信端末１において、前記キー基板８がアンテナ８ｂを有するとともに、前記シールドケース７の、前記アンテナと対応する位置に非導電性部位７ｂが設けられていることを特徴とする無線通信端末である。【選択図】図１
2008011020.tif 000002
【特許請求の範囲】
【請求項１】
電子部品を実装した回路基板と、
前記電子部品を覆うように前記回路基板に重ねて配置されるシールドケースと、
前記シールドケース上に支持されたキースイッチを有するキー基板と、
前記キースイッチと対向する位置に操作キーを配置されたキーシートと、
を筐体内に具える無線通信端末において、
前記キー基板がアンテナを有するとともに、
前記シールドケースの、前記アンテナと対応する位置に非導電性部位が設けられていることを特徴とする、無線通信端末。
【請求項２】
前記回路基板のグランド層は、前記アンテナと対応する位置を避けて形成されていることを特徴とする、請求項１記載の無線通信端末。
【請求項３】
前記キー基板は、フレキシブル基板と、前記フレキシブル基板上に設けられた前記キースイッチとを有し、
前記アンテナは、前記フレキシブル基板に設けられたプリント配線の一部により構成されていることを特徴とする、請求項１または２記載の無線通信端末。
【請求項４】
前記フレキシブル基板は、前記回路基板に設けられた第２コネクタと接続される第１コネクタを有し、
前記アンテナは、前記第１コネクタの配線に接続され、
前記第１コネクタと前記第２コネクタとが接続されることにより、前記アンテナは前記回路基板の給電点と電気的に接続されることを特徴とする、請求項１から３までの何れか１項記載の無線通信端末。
【発明の詳細な説明】
【技術分野】
【０００１】
この発明は、電子部品を実装した回路基板と、前記電子部品を覆うように前記回路基板に重ねて配置されるシールドケースと、前記シールドケース上に支持されたキースイッチを有するキー基板と、前記キースイッチと対向する位置に操作キーを配されたキーシートと、を筐体内に具える無線通信端末に関するものである。
【背景技術】
【０００２】
上記の如き無線通信端末としては、例えば携帯電話機が知られており、従来の携帯電話機では筐体外部にアンテナを取り付ける構造のものが多かったが、最近の携帯電話機では主にデザイン上の理由から、アンテナを筐体に内蔵する構造のものが増えてきている。
【０００３】
さらに、携帯電話機等の無線通信端末が、通信方式のＣＤＭＡ２０００の一種であるＥＶ−ＤＯや、デュアルバンド＋ＧＰＳ（グローバルポジショニングシステム）、近距離無線通信方式の一種であるBluetooth等に対応する場合には、アンテナを二つ以上設ける必要があり、近年は、これらのアンテナを上記理由により筐体に内蔵することが求められている（例えば特許文献１参照）。
【特許文献１】特開２０００−１３４０２０号公報
【発明の開示】
【発明が解決しようとする課題】
【０００４】
しかしながら、アンテナを無線通信端末に内蔵する場合、グランドとなる導体が近くに存在するとアンテナの性能が劣化し、無線通信端末としての本来の性能が損なわれる。このため、グランドとなる導体からアンテナを離す必要があることから、アンテナの実装位置が制限されるとともに、無線通信端末の小型化、薄型化が阻害されるという問題があった。
【課題を解決するための手段】
【０００５】
この発明は、上記課題を有利に解決することを目的とするものであり、この発明の無線通信端末は、電子部品を実装した回路基板と、前記電子部品を覆うように前記回路基板に重ねて配置されるシールドケースと、前記シールドケース上に支持されたキースイッチを有するキー基板と、前記キースイッチと対向する位置に操作キーを配置されたキーシートと、を筐体内に具える無線通信端末において、前記キー基板がアンテナを有するとともに、前記シールドケースの、前記アンテナと対応する位置に非導電性部位が設けられていることを特徴としている。
【発明の効果】
【０００６】
この発明の無線通信端末にあっては、回路基板からシールドケースで隔てられたキー基板がアンテナを有し、シールドケースの、そのアンテナと対応する位置に非導電性部位が設けられることから、アンテナが、グランドとなる導体を持つシールドケースから離れるとともに、グランド層を持つ回路基板からも離れる。
【０００７】
従ってこの発明の無線通信端末によれば、アンテナの実装位置の制限を実質的になくし得るとともに、回路基板上の広いアンテナ専有部分をなくしてその部分に他の部品を実装し得るので、無線通信端末の小型化、薄型化をもたらすことができる。
【発明を実施するための最良の形態】
【０００８】
以下、本発明の実施の形態を実施例によって、図面に基づき詳細に説明する。ここに、図１は、この発明の無線通信端末の一実施例としての折り畳み式携帯電話機の文字入力側筐体の内部構造を示す分解斜視図、図２は、上記実施例の携帯電話機の外観を表示側筐体と文字入力側筐体とを相互に開いた状態で見て示す斜視図、図３は、上記実施例の携帯電話機の文字入力側筐体とその内部構造とを分解して示す側面図、そして図４は、上記実施例の携帯電話機の文字入力側筐体内のキー基板と回路基板との接続状態を示す側面図であり、図中符号１は、上記実施例の携帯電話機を示す。
【０００９】
この実施例の携帯電話機１は、図２に示すように、第１筐体としての表示側筐体２と、第２筐体としての文字入力側筐体３とを備え、表示側筐体２は、フロントケース２ａとリアケース２ｂとが相互に嵌合固定されて構成されて、その一端部に軸受部２ｃを備え、文字入力側筐体３は、フロントケース３ａとリアケース３ｂとが相互に嵌合されるとともにネジで固定されて構成されて、その一端部に表示側筐体２の軸受部２ｃと嵌合される中空の軸部材４を備えており、表示側筐体２と文字入力側筐体３とは、それら軸受部２ｃと軸部材４とからなる連結機構としてのヒンジ部を介して相互に開閉自在とされている。
【００１０】
表示側筐体２は、フロントケース２ａとリアケース２ｂとの内部に図示しない第１回路基板を内蔵し、その第１回路基板の表面に設置された液晶表示ユニット５がフロントケース２ａから表出している。またその第１回路基板には、スピーカ等の各種電子部品が実装されて電気的に接続されている。
【００１１】
一方、文字入力側筐体３は、図１および図３に示すように、フロントケース３ａとリアケース３ｂとの内部に、第２回路基板６を内蔵するとともに、その第２回路基板６の裏面（図１および図３では上面）上に重ねて、通電部材および電磁シールド部材としての金属製のシールドケース７を設置され、シールドケース７上には、複数のキースイッチ８ａを搭載してキー基板を構成するキーフレキシブル基板（キーＦＰＣ）８が支持され、そのキーＦＰＣ８上に重ねて配置されたキーシート９の、上記キースイッチ８ａと対向する位置に配置された操作キー９ａが、フロントケース３ａから表出している。またその第２回路基板６には、マイク等の各種電子部品が実装されて電気的に接続されている。
【００１２】
さらに図３に示すように、第２回路基板６の、ヒンジ部から離間した長手方向端部には、第１アンテナのアンテナパターンをプリントされて設けられたアンテナ基台１０が着脱可能に設けられている。そして、表示側筐体２内の上記第１回路基板上の電子部品と文字入力側筐体３内の第２回路基板６上の電子部品とは、ヒンジ部の中空の軸部材４内を挿通された制御信号配線によって電気的に接続されている。
【００１３】
しかしてこの実施例の携帯電話機１では、図１および図３に示すように、キーＦＰＣ８の、ヒンジ部に隣接する長手方向端部であって、フロントケース３ａ側から見て左側の側端部上に、第１のアンテナと共にダイバシチィを構成する第２アンテナとして用いるアンテナパターン８ｂが、キーＦＰＣ８のプリント配線の一部として設けられており、これもキーＦＰＣ８のプリント配線の一部として設けられてそのアンテナパターン８ｂに繋がる基板接点部８ｃは、キーＦＰＣ８の第１コネクタとしての突出部８ｄ上に、第１コネクタの配線として延在している。
【００１４】
一方、この実施例の携帯電話機１では、図１および図３に示すように、シールドケース７の、アンテナパターン８ｂに重なる対応部分に切欠き部７ａが設けられており、その切欠き部７ａには、非導電性樹脂等の非導電性材料からなる入子部材７ｂが嵌め合わされている。
【００１５】
さらに、この実施例の携帯電話機１では、第２回路基板６の、ヒンジ部に隣接する長手方向端部であって、フロントケース３ａ側から見て左側の側端部上に、第２コネクタとしての、弾性金具からなるアンテナ接続用のタブ１１が実装され、そのタブ１１が第２回路基板６の図示しない給電点に接続されており、また第２回路基板６の長手方向中間部であって、フロントケース３ａ側から見て左側の側端部上にも、弾性金具からなるグランド接続用のタブ１２が実装され、そのタブ１２が第２回路基板６の図示しないグランド層に接続されている。さらに第２回路基板６の図示しないグランド層は、アンテナパターン８ｂと重なる対応位置を避けて形成されている。
【００１６】
そして、これら第２回路基板６とシールドケース７とキーＦＰＣ８とが文字入力側筐体３内に収納される際には、図４に示すように、キーＦＰＣ８の突出部８ｄが、入子部材７ｂの下側に折り返されて第２回路基板６上のアンテナ接続用のタブ１１と対向して、その突出部８ｄ上の基板接点部８ｃが上記タブ１１と電気的に接触し、これによりアンテナパターン８ｂが第２回路基板６の上記給電点と電気的に接続される。また、第２回路基板６上のグランド接続用のタブ１２もシールドケース７の中間部と電気的に接触し、これによりシールドケース７が第２回路基板６の上記グランド層と電気的に接続される。
【００１７】
かかるこの実施例の携帯電話機１にあっては、回路基板６からシールドケース７で隔てられたキーＦＰＣ８がアンテナパターン８ｂを有し、シールドケース７の、そのアンテナパターン８ｂと対応する位置に非導電性の入子部材７ｂが設けられることから、アンテナパターン８ｂが、グランドとなる導体を持つシールドケース７から離れるとともに、グランド層を持つ回路基板６からも離れる。従ってこの実施例の携帯電話機１によれば、アンテナパターン８ｂの実装位置の制限を実質的になくし得るとともに、第２回路基板６上の広いアンテナ専有部分をなくしてその部分に他の部品を実装し得るので、携帯電話機１の小型化、薄型化をもたらすことができる。
【００１８】
しかもこの実施例の実施例の携帯電話機１によれば、回路基板６のグランド層は、アンテナパターン８ｂと対応する位置を避けて形成されているので、アンテナパターン８ｂを第２アンテナとして、劣化が少ない、より高い性能の状態で用いることができる。
【００１９】
さらにこの実施例の実施例の携帯電話機１によれば、キーＦＰＣ８が、フレキシブル基板とそのフレキシブル基板上に設けられたキースイッチとを有し、アンテナパターン８ｂは、そのフレキシブル基板に設けられたプリント配線の一部により構成されることから、低コストでアンテナを形成することができ、しかもアンテナパターン８ｂをフレキシブルにし得るので、アンテナパターン８ｂの配置の自由度をより高めることもできる。
【００２０】
さらにこの実施例の実施例の携帯電話機１によれば、キーＦＰＣ８を構成するフレキシブル基板は、回路基板６に設けられた第２コネクタとしてのタブ１１と接続される、第１コネクタとしての突出部８ｄを有し、アンテナパターン８ｂは、突出部８ｄ上の基板接点部８ｃに接続され、その基板接点部８ｃとタブ１１とが接続されることにより、アンテナパターン８ｂは回路基板６の給電点と電気的に接続されることから、携帯電話機１の組立の際に、アンテナパターン８ｂを回路基板６の給電点に容易に接続することができる。
【００２１】
以上、図示例に基づき説明したが、この発明は上述の例に限定されるものでなく、特許請求の範囲の記載範囲内で適宜変更し得るものであり、例えばこの発明は、携帯電話機以外の、例えば無線通信機能付きパームトップコンピュータや無線通信機能付きゲーム機等の無線通信端末にも適用することができる。
【００２２】
また、上述した実施形態では、金属製のシールドケース７の、アンテナパターン８ｂと対応する位置に非導電性の入子部材７ｂを設けたが、シールドケース７を非導電性の樹脂等で形成するとともに、そのシールドケース７の表面に、アンテナパターン８ｂと対応する位置を除いて蒸着等により導電性皮膜を設けても良い。
【００２３】
さらに、上述した実施形態では、突出部８ｄをそのまま第１コネクタとするとともに、タブ１１を第２コネクタとしたが、突出部８ｄを、第２コネクタとしてのソケットに差し込むようにしても良く、また突出部８ｄと回路基板６とに第１および第２コネクタとしてオスとメスとのコネクタを設けてそれらを互いに嵌合接続させても良い。
【００２４】
さらに、上述した実施形態では、アンテナパターン８ｂをキーＦＰＣ８の、ヒンジ部に隣接する長手方向端部であって、フロントケース３ａ側から見て左側の側端部上に設けたが、アンテナパターン８ｂをこれ以外の場所に配置しても良く、あるいはアンテナパターン８ｂを、このヒンジ部に隣接する長手方向端部であって、フロントケース３ａ側から見て左側の側端部上の位置に加えて、他の位置にさらに配置しても良い。
【産業上の利用可能性】
【００２５】
かくしてこの発明の無線通信端末によれば、アンテナの実装位置の制限を実質的になくし得るとともに、回路基板上の広いアンテナ専有部分をなくしてその部分に他の部品を実装し得るので、無線通信端末の小型化、薄型化をもたらすことができる。
【図面の簡単な説明】
【００２６】
【図１】この発明の無線通信端末の一実施例としての折り畳み式携帯電話機の文字入力側筐体の内部構造を示す分解斜視図である。
【図２】上記実施例の携帯電話機の外観を表示側筐体と文字入力側筐体とを相互に開いた状態で見て示す斜視図である。
【図３】上記実施例の携帯電話機の文字入力側筐体とその内部構造とを分解して示す側面図である。
【図４】上記実施例の携帯電話機の文字入力側筐体内のキー基板と回路基板との接続状態を示す側面図である。
【符号の説明】
【００２７】
１  携帯電話機
２  表示側筐体
２ａ，３ａ  フロントケース
２ｂ，３ｂ  リアケース
２ｃ  軸受部
３  文字入力側筐体
４  軸部材
５  液晶表示ユニット
６  第２回路基板
７  シールドケース
７ａ  切欠き部
７ｂ  入子部材
８  キーフレキシブル基板（キーＦＰＣ）
８ａ  キースイッチ
８ｂ  アンテナパターン
８ｃ  基板接点部
８ｄ  突出部
９  キーシート
９ａ  操作キー
１０  アンテナ基台
１１，１２  タブ
１３  チップアンテナ
【図１】
2008011020.tif 000003
【図２】
2008011020.tif 000004
【図３】
2008011020.tif 000005
【図４】
2008011020.tif 000006